【手続補正書】
【提出日】平成16年12月13日(2004.12.13)
【手続補正１】
【補正対象書類名】特許請求の範囲
【補正対象項目名】全文
【補正方法】変更
【補正の内容】
【特許請求の範囲】
【請求項１】
有利に透明な、場合により既に１つ又は複数の反射層で被覆された基板を有し、この基板の表面上に光により書き込み可能な情報層、場合により１つ又は複数の反射層及び場合により保護層又は他の基板又はカバー層が設けられていて、青色光、赤色光又は赤外線、有利にレーザー光により書き込み及び読み出すことができ、前記の情報層は吸光性化合物及び場合により結合剤を含有する光学データ記録媒体において、吸光性化合物として少なくとも１種のカチオン性アミノ複素環式色素が使用されていることを特徴とする光学データ記録媒体。
【請求項２】
式（ＶＩ）
【化１】
2004525799.tif 000001
［式中、
Ｘ１及びＸ３は互いに無関係にＯ又はＳを表し、
Ｘ２はＣＲ１０又はＮを表し、
Ｘ４はＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６は水素、メチル、エチル、プロピル、ブチル、塩素、フェニル、トリル、メトキシフェニル、キシリル又はＮＲ１２Ｒ１３を表すか、又は
ｎ＝０の場合、Ｒ３及びＲ６は一緒に−Ｏ−、−ＣＨ２−又は−Ｃ（ＣＨ３）２−架橋を形成し、
Ｒ１、Ｒ２、Ｒ４、Ｒ５、Ｒ８、Ｒ９、Ｒ１２及びＲ１３は互いに無関係に水素、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ４Ｒ５、ＮＲ８Ｒ９及びＮＲ１２Ｒ１３は互いに無関係にピロリジノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
のカチオン性アミノ複素環式色素。
【請求項３】
式（ＶＩＩ）
【化２】
2004525799.tif 000002
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
環Ｂは、Ｘ５がＮを表す場合、Ｘ５及びＸ６と一緒に、ベンゾチアゾール−２−イリデン、１，３−チアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表すか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、メチルチオ、ホルミルアミノ、アセチルアミノ、プロピオニルアミノ、フェニル、トリル、メトキシフェニル、フェノキシ、ベンゾイルアミノ、ジメチルアミノ、ジエチルアミノ、ジプロピルアミノ、Ｎ−メチル−Ｎ−フェニルアミノ、ピロリジノ、モルホリノ又はピペリジノの一連の３個までの基により置換されていてよく、
Ｒ７はメチル、エチル、プロピル、ブチル、シアンエチル、ヒドロキシエチル、ヒドロキシプロピル、アリル、シクロペンチル、シクロヘキシル、ベンジル、フェネチル又はフェニルプロピルを表し、
Ｙは＝Ｙ１−（Ｙ２＝Ｙ３）ｎ−又はＮを表し、
Ｙ１〜Ｙ３はＣＨを表し、
ｎは０又は１を表し、
Ｙ０はＣＨ又はＮを表し、
Ａｎ−はアニオンを表す］
のカチオン性アミノ複素環式色素。
【請求項４】
式（ＶＩＩＩ）
【化３】
2004525799.tif 000003
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
Ｒ１４及びＲ１５は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル、フェニルプロピル、ピリジル又は式
【化４】
2004525799.tif 000004
の基を表すか、又は
ＮＲ１４Ｒ１５はピロリジノ、モルホリノ、ピペラジノ、Ｎ−メチル−ピペラジノ又はピペリジノを表し、
Ｒ１６及びＲ１６'は互いに無関係に水素、メチル、エチル、メトキシ、エトキシ又は塩素を表すか、又は
Ｒ１６；Ｒ１５及び／又はＲ１６'；Ｒ１４は−（ＣＨ２）２−又は−（ＣＨ２）３−架橋を形成し、これは３個までのメチル基により置換されていてよく、
Ｒ１７は水素、メチル、エチル、メトキシ、エトキシ、塩素、シアノ、メトキシカルボニル、エトキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２はメチル、エチル、トリフルオロメチル、シクロペンチル、シクロヘキシル、ベンジル、メトキシ、エトキシ、ジメチルアミノ、ジエチルアミノ、メチルアミノ、フェニル、フェノキシ、アニリノ又はピリジルを表し、
Ｒ２３は水素又はメチルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
のカチオン性アミノ複素環式色素。
【請求項５】
カチオン性アミノ複素環式色素が４２０〜６５０ｎｍの範囲内の吸収極大λｍａｘ２を有するか、又は６５０〜８１０ｎｍの範囲内の吸収極大λｍａｘ３を有する、ライトワンス型光学データ記録媒体の情報層におけるカチオン性アミノ複素環式色素の使用。
【請求項６】
データ記録媒体が青色レーザー光、赤色レーザー光又は赤外線レーザー光で書き込まれ、かつ読み出される、ライトワンス型光学データ記録媒体の情報層におけるカチオン性アミノ複素環式色素の使用。
【請求項７】
請求項１記載の光学データ記録媒体の製造法において、有利に透明な、場合により既に反射層で被覆された基板をカチオン性アミノ複素環式色素で、場合により適当な結合剤及び添加物及び場合により適当な溶剤と組み合わせて被覆し、かつ場合により反射層、他の中間層及び場合により保護層又はもう１つの基板又はカバー層を設けることを特徴とする製造法。
【請求項８】
青色光、赤色光、赤外線、殊に赤色光、殊に赤色レーザー光で書き込まれた、請求項１記載の光学データ記録媒体。